(57)【要約】【課題】読取モードに応じた主走査レジスト調整値を原稿毎に容易に設定することができる画像読取装置および画像形成装置を提供する。【解決手段】光電変換素子を用いた原稿画像の読取りについて複数の読取モードを有する画像読取装置において、原稿の読取りの際に、読取モードに応じて主走査レジスト調整値を算出し（ステップＳ２〜Ｓ４）、その算出された主走査レジスト調整値を読取モード毎に記憶する（ステップＳ５）。これにより、例えば片面読取りモードと両面読取りモードとでは画像の主走査方向が逆転することになるが、このような場合であっても読取モードに応じた主走査レジスト調整値を原稿毎に容易に設定することができる。【選択図】　　　　図６
2004015120.tif 000002
【特許請求の範囲】
【請求項１】
光電変換素子を用いた原稿画像の読取りについて複数の読取モードを有する画像読取装置において、
前記読取モードに応じ、前記光電変換素子で読取った範囲と実際の原稿の開始点との主走査方向における相違を補正するための主走査レジスト調整値を前記原稿の読取りの際に算出する主走査レジスト調整値算出手段と、
この主走査レジスト調整値算出手段により算出された前記主走査レジスト調整値を前記読取モード毎に記憶するレジスト調整値記憶手段と、
を備えることを特徴とする画像読取装置。
【請求項２】
前記レジスト調整値記憶手段は、前記主走査レジスト調整値算出手段により算出された所定の読取モードの前記主走査レジスト調整値が既に前記レジスト調整値記憶手段により記憶されている当該読取モードの前記主走査レジスト調整値と異なる場合にのみ算出された前記主走査レジスト調整値を前記読取モード毎に記憶することを特徴とする請求項１記載の画像読取装置。
【請求項３】
前記レジスト調整値記憶手段は、前記主走査レジスト調整値算出手段により算出された所定の読取モードの前記主走査レジスト調整値が既に前記レジスト調整値記憶手段により記憶されている当該読取モードの前記主走査レジスト調整値と異なる場合にのみ算出された前記主走査レジスト調整値を前記読取モード毎に記憶するとともに、所定のプログラムをダウンロードすることを特徴とする請求項１記載の画像読取装置。
【請求項４】
請求項１ないし３の何れか一記載の画像読取装置を備え、
この画像読取装置により読取られた原稿の画像データに基づいて記録媒体上に画像を形成することを特徴とする画像形成装置。
【発明の詳細な説明】
【０００１】
【発明の属する技術分野】
本発明は、画像読取装置および画像形成装置に関する。
【０００２】
【従来の技術】
デジタル複写機等の画像形成装置に備えられる画像読取装置における画像読取処理は、副走査方向の画像範囲を示す制御信号（ＦＧＡＴＥ）及び主走査方向の画像範囲を示す制御信号（ＬＧＡＴＥ）と、主走査方向の画像開始の合図としての同期信号（ＬＳＹＮＣ）に基づいて実行される。ＦＧＡＴＥ，ＬＳＹＮＣ，ＬＧＡＴＥと画像データの時間的な関係を図９に示す。図９に示すように、副走査範囲信号ＦＧＡＴＥは光源やミラーが走査する方向、つまり副走査方向の画像範囲を示す信号で、主走査同期信号ＬＳＹＮＣはＣＣＤ（Ｃｈａｒｇｅ　Ｃｏｕｐｌｅｄ　Ｄｅｖｉｃｅ）の読取り方向、つまり主走査方向のラインの開始点の合図となる同期信号であり、主走査範囲信号ＬＧＡＴＥは主走査方向の画像範囲を示す信号である。
【０００３】
【発明が解決しようとする課題】
ところで、従来、ＣＣＤは原稿台に対して余裕を持った範囲を読取り可能に設けられているため、ＣＣＤで読取った範囲をＬＧＡＴＥとして画像範囲とすると、実際の原稿の開始点との相違が生じる。
【０００４】
そこで、従来のデジタル複写機等においては、ＣＣＤで読取った範囲と実際の原稿の開始点との相違を補正するための制御として、図１０に示すように、画像処理部内のラインメモリなどを利用して主走査レジスト調整値を設定し、調整を行うようにしている。
【０００５】
しかしながら、近年においては、両面同時読取りが可能なデジタル複写機等が提案されており、片面読取り時と両面同時読取り時とでは画像の主走査方向が逆転することになるので、主走査レジスト調整値を変更する必要があり、その作業は煩雑なものとなっている。
【０００６】
本発明の目的は、読取モードに応じた主走査レジスト調整値を原稿毎に容易に設定することができる画像読取装置および画像形成装置を提供することである。
【０００７】
【課題を解決するための手段】
請求項１記載の発明の画像読取装置は、光電変換素子を用いた原稿画像の読取りについて複数の読取モードを有する画像読取装置において、前記読取モードに応じ、前記光電変換素子で読取った範囲と実際の原稿の開始点との主走査方向における相違を補正するための主走査レジスト調整値を前記原稿の読取りの際に算出する主走査レジスト調整値算出手段と、この主走査レジスト調整値算出手段により算出された前記主走査レジスト調整値を前記読取モード毎に記憶するレジスト調整値記憶手段と、を備える。
【０００８】
したがって、原稿の読取りの際に、読取モードに応じて主走査レジスト調整値が算出され、その算出された主走査レジスト調整値が読取モード毎に記憶される。これにより、例えば片面読取りモードと両面読取りモードとでは画像の主走査方向が逆転することになるが、このような場合であっても読取モードに応じた主走査レジスト調整値を原稿毎に容易に設定することが可能になる。
【０００９】
請求項２記載の発明は、請求項１記載の画像読取装置において、前記レジスト調整値記憶手段は、前記主走査レジスト調整値算出手段により算出された所定の読取モードの前記主走査レジスト調整値が既に前記レジスト調整値記憶手段により記憶されている当該読取モードの前記主走査レジスト調整値と異なる場合にのみ算出された前記主走査レジスト調整値を前記読取モード毎に記憶する。
【００１０】
したがって、主走査レジスト調整値の再設定分の処理動作を省略することが可能になる。
【００１１】
請求項３記載の発明は、請求項１記載の画像読取装置において、前記レジスト調整値記憶手段は、前記主走査レジスト調整値算出手段により算出された所定の読取モードの前記主走査レジスト調整値が既に前記レジスト調整値記憶手段により記憶されている当該読取モードの前記主走査レジスト調整値と異なる場合にのみ算出された前記主走査レジスト調整値を前記読取モード毎に記憶するとともに、所定のプログラムをダウンロードする。
【００１２】
したがって、画像処理部にＡＳＩＣなどの専用ＩＣではなく、ミドルウェアなど、画像処理汎用ＩＣを用いた場合であっても、原稿毎に、その読取モードに従って主走査レジスト調整値を設定することが可能となるので、主走査レジスト調整値を設定可能な制御対象を広げることが可能になる。
【００１３】
請求項４記載の発明の画像形成装置は、請求項１ないし３の何れか一記載の画像読取装置を備え、この画像読取装置により読取られた原稿の画像データに基づいて記録媒体上に画像を形成する。
【００１４】
したがって、請求項１ないし３の何れか一記載の発明と同様の作用を奏する画像形成装置が得られる。
【００１５】
【発明の実施の形態】
本発明の第一の実施の形態を図１ないし図６に基づいて説明する。
【００１６】
本実施の形態は、画像形成装置としてデジタル複写機に適用したもので、図１はこのデジタル複写機の概略構造を示す縦断正面図である。このデジタル複写機は、両面読取機能を有する画像読取装置としてのスキャナ１と、このスキャナ１で読取った画像データに基づいて電子写真方式により記録媒体である用紙２０上に画像形成を行うプリンタ２とを備えている。また、このデジタル複写機には、スタートキーやアボートキー等の各種のキーを備えるキーボード（図示せず）と、ディスプレイ（図示せず）とを備えた操作パネルＰ（図２参照）が設けられている。また、キーボードには、Ａ４、Ｂ５等の規定の用紙サイズの指定を受け付ける用紙指定キーや、不定サイズの用紙の寸法の手動による入力を受け付ける置数キー、各種モードを選択するモードキー（ともに図示せず）等が設けられている。
【００１７】
スキャナ１は、その上部にＡＤＦ（Ａｕｔｏ　Ｄｏｃｕｍｅｎｔ　Ｆｅｅｄｅｒ）１ａを有するもので、第１の画像読取部３、第２の画像読取部４、原稿セット部５、原稿排紙部６、原稿搬送経路７、多数の搬送ローラ８、第１のコンタクトガラス９、第２のコンタクトガラス１０、第１の読取ローラ１１、白色ローラである第２の読取ローラ１２等により構成されている。
【００１８】
第１のコンタクトガラス９は、原稿固定モードでの原稿画像の読取時に原稿を載置するためのもので、第２のコンタクトガラス１０は、原稿搬送モードでの原稿画像の読取時に使用されるものである。ここで、原稿固定モードとは、第１のコンタクトガラス９上に載置された状態の原稿Ｄ（図５参照）の画像を読取る動作モードであり、原稿搬送モードとは、ＡＤＦ１ａにより原稿Ｄを自動給紙し、自動給紙された原稿Ｄが第２のコンタクトガラス１０上を通過する際にその原稿Ｄの画像を読取る動作モードである。
【００１９】
原稿セット部５には、読取対象となる原稿Ｄがセットされ、原稿排紙部６には画像が読取られた原稿Ｄが排紙される。原稿搬送経路７は、原稿セット部５と原稿排紙部６との間に設けられた経路であって、画像が読取られる原稿Ｄが１枚ずつ搬送される。原稿Ｄの読取りの際には、モードを切換えることにより、原稿Ｄが片面原稿の場合には第１の画像読取部３のみにより画像の読取りが行われ、原稿Ｄが両面原稿の場合には第１の画像読取部３と第２の画像読取部４とにより画像の読取りが行われる。
【００２０】
なお、ＡＤＦ１ａには、原稿Ｄのサイズを検出するサイズ検出センサ（図示せず）が設けられている。
【００２１】
第１の画像読取部３は、原稿の露光用の露光ランプ３１及び第一反射ミラー３２からなる第一走行体３３と、第二反射ミラー３４及び第三反射ミラー３５からなる第二走行体３６と、原稿Ｄの画像（表面画像）を読取る光電変換素子であるＣＣＤ（Ｃｈａｒｇｅ　Ｃｏｕｐｌｅｄ　Ｄｅｖｉｃｅ）３７と、このＣＣＤ３７に結像させるためのレンズユニット３８とを備えている。このＣＣＤ３７は、原稿画像を主走査方向（図１紙面に対して表裏方向）に読取るものであり、第一走行体３３及び第二走行体３６を副走査方向Ａに移動し、または、原稿Ｄを原稿搬送経路７上を搬送することで、原稿Ｄの全体を読取るものである。
【００２２】
より詳細には、コンタクトガラス９上に位置固定に載置された原稿Ｄの画像を読取る際には、第一走行体３３及び第二走行体３６は駆動用のステッピングモータ（図示せず）によって２：１の速度比で副走査方向Ａに移動する。すなわち、第一走行体３３及び第二走行体３６がコンタクトガラス９の下を２：１の速度比で走行することにより、露光ランプ３１で原稿Ｄが露光走査され、その反射光が第一反射ミラー３２、第二反射ミラー３４及び第三反射ミラー３５で反射され、レンズユニット３８を通してＣＣＤ３７に結像させることで、原稿Ｄの全体が副走査されることになる。
【００２３】
一方、コンタクトガラス１０と読取ローラ１１との間（即ち、原稿搬送経路７上）を搬送される原稿Ｄの画像を読取る際（ＡＤＦ１ａ使用時）には、第一走行体３３及び第二走行体３６はホームポジションなる停止位置にセットされ、コンタクトガラス１０上を搬送される原稿Ｄが露光ランプ３１で露光走査され、その反射光が第一反射ミラー３２、第二反射ミラー３４及び第三反射ミラー３５で反射され、レンズユニット３８を通してＣＣＤ３７に結像させることで、原稿Ｄの全体が副走査されることになる。この場合、読取ローラ１１は駆動用のステッピングモータ（図示せず）により搬送ローラ８と同じ周速で回転駆動され、搬送される原稿Ｄをコンタクトガラス１０に押し付けるように作用する。
【００２４】
また、第２の画像読取部４は、光電変換素子であるＣＣＤ４１を原稿搬送経路７上に直接的に配置した密着型イメージセンサ（ＣＩＳ）構成のもので、原稿搬送経路７上を搬送される原稿Ｄの画像（裏面画像）をＣＣＤ４１で読取ることができる。白色ローラである第２の読取ローラ１２は原稿搬送経路７を挟んで画像読取部４に対向配置され、画像読取部４による原稿Ｄの読取りを行う場合には、読取ローラ１２は駆動用のステッピングモータ（図示せず）により搬送ローラ８と同じ周速で回転駆動され、原稿Ｄの画像面と画像読取部４との距離を一定に維持するように作用する。
【００２５】
すなわち、スキャナ１は、原稿搬送経路７を用いて原稿Ｄを搬送する場合（ＡＤＦ１ａの使用時）において、ＣＣＤ３７及びＣＣＤ４１による両面同時読取りが可能な構成になっている。
【００２６】
プリンタ２は、感光体１４、レーザユニット１５、現像器１６、転写器１７、定着器１８等により構成されている。この電子写真方式のプリンタ２における画像再生のプロセスを簡単に説明すると、感光体１４の周面は、帯電チャージャ（図示せず）によって一様に高電位に帯電される。その周面に画像読取部３又は４により読取られた画像がレーザユニット１５からのレーザ光の照射により書込まれ、静電潜像が形成される。より詳細には、レーザ光は記録再生の黒／白に応じてオン／オフされ、なおかつパルス幅変調（ＰＷＭ）またはパワー変調（ＰＭ）によって、感光体１４の表面上のレーザ照射エネルギーを制御する。その結果、感光体１４の表面上には、記録画像の階調レベルに対応する電位分布、すなわち静電潜像が形成される。静電潜像が形成された部分が現像器１６を通ると、その電位の高低に応じてトナーが付着し、静電潜像が、可視化したトナー像となる。トナー像が形成された部分に所定のタイミングで、給紙カセット１９から記録媒体である用紙２０が給紙され、この給紙された用紙２０上に転写器１７の働きによってトナー像が転写される。トナー像が転写された用紙２０は定着器１８で定着処理を受けた後、排紙トレイ２１に排紙される。
【００２７】
図２は、本実施の形態のデジタル複写機の各部の電気的な接続を示すブロック図である。デジタル複写機は、当該デジタル複写機の各部に対して処理全般の指示を与えるコントローラ５１を備えている。このコントローラ５１には、デジタル複写機全体を制御するための制御部５２と、ディザ，誤差拡散など所定の画質処理を施す画像処理部５３と、多数部の画像データを蓄積可能な画像蓄積部５４とが設けられている。
【００２８】
制御部５２は、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）及びＲＡＭ（Ｒａｎｄｏｍ　Ａｃｃｅｓｓ　Ｍｅｍｏｒｙ）等によるマイクロコンピュータ構成とされており、操作パネルＰ、スキャナ１およびプリンタ２に、指示信号，制御信号および同期信号を与えると共に、コントロ−ラ５１内の画像処理部５３および画像蓄積部５４にも、指示信号，制御信号および同期信号を与える。ＲＯＭは、各種機能をＣＰＵに実現させるための動作制御用のプログラムを格納するものであり、このＲＯＭがプログラムを記憶した記憶媒体として機能している。このため、本実施の形態では、ＲＯＭが例えばＥＥＰＲＯＭやフラッシュメモリにより構成され、ＲＯＭに記憶されているプログラムが書換え自在とされている。なお、特に図示しないが、ネットワーク経由でプログラムをダウンロードさせる場合であれば、ネットワークインタフェースを付加すれば良い。ＲＡＭは、ＣＰＵのワークエリアとして機能するもので、各種情報を書換え自在に格納する。
【００２９】
画像蓄積部５４は、少なくとも用紙２０の一枚分の画像編集用の一時的なメモリ領域と、ＨＤ（Ｈａｒｄ　Ｄｉｓｋ）などの大容量の記憶媒体を持つことにより、多数部の画像データを蓄積可能で、画像データの圧縮／伸張機能を有して、画像情報の蓄積量を更に増やしている。
【００３０】
次に、制御部５２のＣＰＵがＲＯＭに格納された制御プログラムに基づいて実行する処理について説明する。概略的には、ＣＣＤ３７，４１により読取られてＡ／Ｄ変換によるデジタルデータに変換された画像データは、スキャナ１においてスキャナ特性の補正を受け、コントローラ５１の画像処理部５３においてディザ，誤差拡散など所定の画質処理を施された後、下位ブロックの画像フォーマットに従って出力され、画像蓄積部５４に送られる。プリンタ２は画像蓄積部５４から画像データを受け取って用紙２０に出力する。
【００３１】
次に、制御部５２により制御されるスキャナ１の動作について詳細に説明する。ここでは、第１の画像読取部３を例にスキャナ１の動作を説明する。図３に示すように、このスキャナ１の第１の画像読取部３では、コントローラ５１からの点灯信号によって点灯する露光ランプ３１からの光を原稿Ｄに対してスリット状に照射することにより、原稿Ｄからの反射光がレンズユニット３８等を介して多数のセンサチップからなるＣＣＤ３７に集光結像され、原稿画像の読取りが行われる。実際の原稿画像の読取りは、コントローラ５１から出力制御回路６５に出力される各種制御信号（ＦＧＡＴＥ，ＬＳＹＮＣ，ＬＧＡＴＥ）に基づいて実行される。ここで、ＦＧＡＴＥは第一走行体３３及び第二走行体３６が走査する方向（副走査方向）の画像範囲を示す副走査範囲信号であり、ＬＳＹＮＣはＣＣＤ３７の読取り方向（主走査方向）のラインの開始点の合図となる主走査同期信号であり、ＬＧＡＴＥは主走査方向の画像範囲を示す主走査範囲信号である。このような各種制御信号に従うことにより、所定のタイミングで原稿Ｄの画像の読取りを開始し、順次得られるライン毎の画像データを増幅器６１、Ａ／Ｄ変換回路６２、画像処理回路６３を介してフレームメモリ６４に一時蓄積する。その後、出力制御回路６５、Ｉ／Ｆ回路６６を介してコントローラ５１に画像データを転送出力する。
【００３２】
一方、図４に示すように、スキャナ１の第２の画像読取部４では、コントローラ５１からの点灯信号によって点灯する露光ランプ７１からの光を原稿Ｄに対してスリット状に照射することにより、原稿Ｄからの反射光が多数のセンサチップからなるＣＣＤ４１に直接集光結像され、原稿画像の読取りが行われる。実際の原稿画像の読取りは、コントローラ５１から出力制御回路７２に出力される各種制御信号（ＬＳＹＮＣ，ＬＧＡＴＥ）に基づいて実行される。そして、各種制御信号に従い、所定のタイミングで原稿Ｄの画像の読取りを開始し、順次得られるライン毎の画像データを増幅器７３、Ａ／Ｄ変換回路７４、画像処理回路７５を介してフレームメモリ７６に一時蓄積する。その後、出力制御回路７２、Ｉ／Ｆ回路７７を介してコントローラ５１に画像データを転送出力する。
【００３３】
ここで、図５は両面同時読取り時の原稿Ｄと制御信号の関係例を示したもので、（ａ）は原稿Ｄの表面画像との関係例を示し、（ｂ）は原稿Ｄの裏面画像との関係例を示している。図５に示すように、原稿Ｄは原稿搬送面の端部の何れか一方に寄せて搬送されるため、スキャナ１の第１の画像読取部３で読取られる原稿Ｄの表面画像と、スキャナ１の第２の画像読取部４で読取られる原稿Ｄの裏面画像とでは、画像の主走査方向が逆転することになる。そこで、本実施の形態のデジタル複写機においては、主走査方向の主走査レジスト調整値をモードに応じてシート毎に設定可能にしたものである。
【００３４】
ここで、図６は画像処理部５３における主走査レジスト調整値の設定処理の流れを示すフローチャートである。図６に示すように、まず、スキャナ１から出力された画像データが、Ｂｏｏｋ読取／ＡＤＦ表面読取／ＡＤＦ裏面読取の何れであるかを判断する読み取り種類選択処理を実行する（ステップＳ１）。
【００３５】
スキャナ１から出力された画像データが、原稿固定モードであるＢｏｏｋ読取によるものである場合には、ステップＳ２に進み、Ｂｏｏｋ読取用の主走査レジスト調整値の計算を行う（主走査レジスト調整値算出手段）。より詳細には、Ｂｏｏｋ読取用の主走査レジスト調整値は、次の式、
主走査レジスト調整値＝Ｂｏｏｋ時のデフォルトレジスト値±Ｂｏｏｋレジスト微調整値
に従って計算される。Ｂｏｏｋ時のデフォルトレジスト値は出荷時において予め規定されている値であって、Ｂｏｏｋレジスト微調整値は操作パネルＰから利用者等により入力された値である。
【００３６】
スキャナ１から出力された画像データが、原稿搬送モードであるＡＤＦ表面読取によるものである場合には、ステップＳ３に進み、ＡＤＦ表面読取用の主走査レジスト調整値の計算を行う（主走査レジスト調整値算出手段）。より詳細には、ＡＤＦ表面読取用の主走査レジスト調整値は、次の式、
主走査レジスト調整値＝ＣＣＤ読み取り幅−（主走査画像サイズ＋ＡＤＦ表面のデフォルトレジスト値）±ＡＤＦ表面のレジスト微調整値
に従って計算される。ＡＤＦ表面のデフォルトレジスト値は出荷時において予め規定されている値であって、ＡＤＦ表面のレジスト微調整値は操作パネルＰから利用者等により入力された値である。また、主走査画像サイズは、ＡＤＦ１ａに設けられているサイズ検出センサの検出信号に基づいて取得される。
【００３７】
スキャナ１から出力された画像データが、原稿搬送モードかつ両面読取モードであるＡＤＦ裏面読取によるものである場合には、ステップＳ４に進み、ＡＤＦ裏面読取用の主走査レジスト調整値の計算を行う（主走査レジスト調整値算出手段）。より詳細には、ＡＤＦ裏面読取用の主走査レジスト調整値は、次の式、
主走査レジスト調整値＝ＡＤＦ裏面のデフォルトレジスト値±ＡＤＦ裏面のレジスト微調整値
に従って計算される。ＡＤＦ裏面のデフォルトレジスト値は出荷時において予め規定されている値であって、ＡＤＦ裏面のレジスト微調整値は操作パネルＰから利用者等により入力された値である。
【００３８】
主走査レジスト調整値が計算されると、ステップＳ５に進み、主走査レジスト調整値を画像処理部５３の所定の位置に設定する。ここに、レジスト調整値記憶手段の機能が実行される。これにより、原稿Ｄ毎に、その読み取り方法に従って主走査レジスト調整値を設定することが可能となる。
【００３９】
ここに、原稿の読取りの際に、読取モードに応じて主走査レジスト調整値を算出し、その算出された主走査レジスト調整値を読取モード毎に記憶する。これにより、例えば片面読取りモードと両面読取りモードとでは画像の主走査方向が逆転することになるが、このような場合であっても読取モードに応じた主走査レジスト調整値を原稿毎に容易に設定することができる。
【００４０】
次に、本発明の第二の実施の形態を図７に基づいて説明する。なお、本発明の第一の実施の形態において説明した部分と同一部分については同一符号を用い、説明も省略する。本実施の形態は、主走査方向の主走査レジスト調整値の設定処理の変形例である。
【００４１】
ここで、図７は画像処理部５３における主走査レジスト調整値の設定処理の流れを示すフローチャートである。図７に示すように、まず、スキャナ１から出力された画像データが、Ｂｏｏｋ読取／ＡＤＦ表面読取／ＡＤＦ裏面読取の何れであるかを判断する読み取り種類選択処理を実行する（ステップＳ１）。
【００４２】
スキャナ１から出力された画像データが、原稿固定モードであるＢｏｏｋ読取によるものである場合には、ステップＳ２に進み、Ｂｏｏｋ読取用の主走査レジスト調整値の計算を行う（主走査レジスト調整値算出手段）。より詳細には、Ｂｏｏｋ読取用の主走査レジスト調整値は、次の式、
主走査レジスト調整値＝Ｂｏｏｋ時のデフォルトレジスト値±Ｂｏｏｋレジスト微調整値
に従って計算される。
【００４３】
スキャナ１から出力された画像データが、原稿搬送モードであるＡＤＦ表面読取によるものである場合には、ステップＳ３に進み、ＡＤＦ表面読取用の主走査レジスト調整値の計算を行う（主走査レジスト調整値算出手段）。より詳細には、ＡＤＦ表面読取用の主走査レジスト調整値は、次の式、
主走査レジスト調整値＝ＣＣＤ読み取り幅−（主走査画像サイズ＋ＡＤＦ表面のデフォルトレジスト値）±ＡＤＦ表面のレジスト微調整値
に従って計算される。
【００４４】
スキャナ１から出力された画像データが、原稿搬送モードかつ両面読取モードであるＡＤＦ裏面読取によるものである場合には、ステップＳ４に進み、ＡＤＦ裏面読取用の主走査レジスト調整値の計算を行う（主走査レジスト調整値算出手段）。より詳細には、ＡＤＦ裏面読取用の主走査レジスト調整値は、次の式、
主走査レジスト調整値＝ＡＤＦ裏面のデフォルトレジスト値±ＡＤＦ裏面のレジスト微調整値
に従って計算される。
【００４５】
主走査レジスト調整値が計算されると、ステップＳ６に進み、前回の主走査レジスト調整値と比較する差分判定処理を実行する。
【００４６】
そして、差分判定処理により、主走査レジスト調整値が変化した場合にのみ、ステップＳ５に進み、主走査レジスト調整値を画像処理部５３の所定の位置に設定する。ここに、レジスト調整値記憶手段の機能が実行される。これにより、原稿Ｄ毎に、その読み取り方法に従って主走査レジスト調整値を設定することが可能となる。
【００４７】
一方、差分判定処理により、主走査レジスト調整値が一致した場合には、再設定の必要がないため、ステップＳ５には進まず、処理を終了する。
【００４８】
これにより、主走査レジスト調整値の再設定分の処理動作を省略することができる。
【００４９】
次に、本発明の第三の実施の形態を図８に基づいて説明する。なお、本発明の第一の実施の形態または本発明の第二の実施の形態において説明した部分と同一部分については同一符号を用い、説明も省略する。本実施の形態は、主走査方向の主走査レジスト調整値の設定処理の変形例である。
【００５０】
ここで、図８は画像処理部５３における主走査レジスト調整値の設定処理の流れを示すフローチャートである。図８に示すように、まず、スキャナ１から出力された画像データが、Ｂｏｏｋ読取／ＡＤＦ表面読取／ＡＤＦ裏面読取の何れであるかを判断する読み取り種類選択処理を実行する（ステップＳ１）。
【００５１】
スキャナ１から出力された画像データが、原稿固定モードであるＢｏｏｋ読取によるものである場合には、ステップＳ２に進み、Ｂｏｏｋ読取用の主走査レジスト調整値の計算を行う（主走査レジスト調整値算出手段）。より詳細には、Ｂｏｏｋ読取用の主走査レジスト調整値は、次の式、
主走査レジスト調整値＝Ｂｏｏｋ時のデフォルトレジスト値±Ｂｏｏｋレジスト微調整値
に従って計算される。
【００５２】
スキャナ１から出力された画像データが、原稿搬送モードであるＡＤＦ表面読取によるものである場合には、ステップＳ３に進み、ＡＤＦ表面読取用の主走査レジスト調整値の計算を行う（主走査レジスト調整値算出手段）。より詳細には、ＡＤＦ表面読取用の主走査レジスト調整値は、次の式、
主走査レジスト調整値＝ＣＣＤ読み取り幅−（主走査画像サイズ＋ＡＤＦ表面のデフォルトレジスト値）±ＡＤＦ表面のレジスト微調整値
に従って計算される。
【００５３】
スキャナ１から出力された画像データが、原稿搬送モードかつ両面読取モードであるＡＤＦ裏面読取によるものである場合には、ステップＳ４に進み、ＡＤＦ裏面読取用の主走査レジスト調整値の計算を行う（主走査レジスト調整値算出手段）。より詳細には、ＡＤＦ裏面読取用の主走査レジスト調整値は、次の式、
主走査レジスト調整値＝ＡＤＦ裏面のデフォルトレジスト値±ＡＤＦ裏面のレジスト微調整値
に従って計算される。
【００５４】
主走査レジスト調整値が計算されると、ステップＳ６に進み、前回の主走査レジスト調整値と比較する差分判定処理を実行する。
【００５５】
そして、差分判定処理により、主走査レジスト調整値が変化した場合には、ステップＳ７に進み、主走査レジスト調整値とともに所定のミドルウェア用のプログラムを画像処理部５３の所定の位置に設定する。ここに、レジスト調整値記憶手段の機能が実行される。これにより、原稿Ｄ毎に、その読み取り方法に従って主走査レジスト調整値を設定することが可能となる。
【００５６】
一方、差分判定処理により、主走査レジスト調整値が一致した場合には、再設定の必要がないため、ステップＳ７には進まず、処理を終了する。
【００５７】
これにより、画像処理部５３がＡＳＩＣなどの専用ＩＣではなく、ミドルウェアなど、画像処理汎用ＩＣを用いた場合であっても、原稿Ｄ毎に、その読み取り方法に従って主走査レジスト調整値を設定することが可能となり、主走査レジスト調整値を設定可能な制御対象を広げることが可能になる。
【００５８】
【発明の効果】
請求項１記載の発明の画像読取装置によれば、光電変換素子を用いた原稿画像の読取りについて複数の読取モードを有する画像読取装置において、前記読取モードに応じ、前記光電変換素子で読取った範囲と実際の原稿の開始点との主走査方向における相違を補正するための主走査レジスト調整値を前記原稿の読取りの際に算出する主走査レジスト調整値算出手段と、この主走査レジスト調整値算出手段により算出された前記主走査レジスト調整値を前記読取モード毎に記憶するレジスト調整値記憶手段と、を備え、原稿の読取りの際に、読取モードに応じて主走査レジスト調整値を算出し、その算出された主走査レジスト調整値を読取モード毎に記憶することにより、例えば片面読取りモードと両面読取りモードとでは画像の主走査方向が逆転することになるが、このような場合であっても読取モードに応じた主走査レジスト調整値を原稿毎に容易に設定することができる。
【００５９】
請求項２記載の発明によれば、請求項１記載の画像読取装置において、前記レジスト調整値記憶手段は、前記主走査レジスト調整値算出手段により算出された所定の読取モードの前記主走査レジスト調整値が既に前記レジスト調整値記憶手段により記憶されている当該読取モードの前記主走査レジスト調整値と異なる場合にのみ算出された前記主走査レジスト調整値を前記読取モード毎に記憶することにより、主走査レジスト調整値の再設定分の処理動作を省略することができる。
【００６０】
請求項３記載の発明によれば、請求項１記載の画像読取装置において、前記レジスト調整値記憶手段は、前記主走査レジスト調整値算出手段により算出された所定の読取モードの前記主走査レジスト調整値が既に前記レジスト調整値記憶手段により記憶されている当該読取モードの前記主走査レジスト調整値と異なる場合にのみ算出された前記主走査レジスト調整値を前記読取モード毎に記憶するとともに、所定のプログラムをダウンロードすることにより、画像処理部にＡＳＩＣなどの専用ＩＣではなく、ミドルウェアなど、画像処理汎用ＩＣを用いた場合であっても、原稿毎に、その読取モードに従って主走査レジスト調整値を設定することができるので、主走査レジスト調整値を設定可能な制御対象を広げることができる。
【００６１】
請求項４記載の発明の画像形成装置によれば、請求項１ないし３の何れか一記載の画像読取装置を備え、この画像読取装置により読取られた原稿の画像データに基づいて記録媒体上に画像を形成することにより、請求項１ないし３の何れか一記載の発明と同様の作用効果を奏する画像形成装置を提供することができる。
【図面の簡単な説明】
【図１】本発明の第一の実施の形態のデジタル複写機の概略構造を示す縦断正面図である。
【図２】デジタル複写機の各部の電気的な接続を示すブロック図である。
【図３】第１の画像読取部の各部の電気的な接続を示すブロック図である。
【図４】第２の画像読取部の各部の電気的な接続を示すブロック図である。
【図５】両面同時読取り時の原稿と制御信号の関係例を示したもので、（ａ）は原稿の表面画像との関係例を示し、（ｂ）は原稿の裏面画像との関係例を示す説明図である。
【図６】主走査レジスト調整値の設定処理の流れを示すフローチャートである。
【図７】本発明の第二の実施の形態の主走査レジスト調整値の設定処理の流れを示すフローチャートである。
【図８】本発明の第三の実施の形態の主走査レジスト調整値の設定処理の流れを示すフローチャートである。
【図９】各種信号と画像データの時間的な関係を示す説明図である。
【図１０】主走査レジスト調整値を示す説明図である。
【符号の説明】
１　　　　画像読取装置
２０　　　記録媒体
３７，４１　　　光電変換素子
【図１】
2004015120.tif 000003
【図２】
2004015120.tif 000004
【図３】
2004015120.tif 000005
【図４】
2004015120.tif 000006
【図５】
2004015120.tif 000007
【図６】
2004015120.tif 000008
【図７】
2004015120.tif 000009
【図８】
2004015120.tif 000010
【図９】
2004015120.tif 000011
【図１０】
2004015120.tif 000012